(57)【特許請求の範囲】
【請求項１】
画像信号が表すカラー画像の色を調整する色調整装置において、
色調整前の彩度の内で調整すべき彩度の範囲、及び色調整前の彩度に比べた色調整後の彩度の変化の範囲を規定するためのパラメータを記憶する記憶手段と、
画像信号から、カラー画像を構成する各画素の彩度に対応する第１対応値を計算する彩度対応値計算手段と、
該彩度対応値計算手段が計算した第１対応値に応じた色調整後の彩度に対応する第２対応値を、前記パラメータに基づいて計算する彩度調整手段と、
該彩度調整手段が計算した第２対応値に応じて、色を調整したカラー画像を表す画像信号を生成する画像信号生成手段とを備え、
前記パラメータは、特定の複数の色の彩度の差が色調整後に増大するように定められてあること
を特徴とする色調整装置。
【請求項２】
前記第１対応値は、色調整前の彩度であり、
前記第２対応値は、色調整後の彩度であり、
前記パラメータは、色調整前の彩度の内で調整すべき彩度の下限値及び上限値、色調整前の彩度の内で変化量を最大にすべき彩度を定めた最大設定値、並びに色調整前の彩度が前記最大設定値に等しい場合の色調整後の彩度を含んでおり、
前記彩度調整手段は、
色調整前の彩度が前記下限値を超過し前記最大設定値未満である場合に、色調整前の彩度の増加に応じて彩度の変化量が拡大するように色調整後の彩度を計算する手段と、
色調整前の彩度が前記最大設定値を超過し前記上限値未満である場合に、色調整前の彩度の増加に応じて彩度の変化量が縮小するように色調整後の彩度を計算する手段と
を有することを特徴とする請求項１に記載の色調整装置。
【請求項３】
画像信号に基づいて、各画素の彩度が取り得る最大値を計算する手段を更に備え、
前記彩度調整手段は、
色調整後の彩度が前記最大値以下になるように、前記第２対応値を計算する構成としてあること
を特徴とする請求項１又は２に記載の色調整装置。
【請求項４】
画像信号が表すカラー画像の彩度を増大させるべく色を調整する色調整装置において、
色調整前の彩度の内で調整すべき彩度の範囲、及び色調整前の彩度に比べた色調整後の彩度の変化の範囲を規定するためのパラメータを記憶する記憶手段と、
カラー画像を構成する各画素の色を複数色の組み合わせで表現するための複数の色信号値を含んだ画像信号から、各画素の輝度値を取得する手段と、
前記画像信号から、各画素の彩度に対応する彩度対応値を計算する彩度対応値計算手段と、
該彩度対応値計算手段が計算した彩度対応値に応じた調整係数を、前記パラメータに基づいて計算する彩度調整手段と、
複数の色信号値の夫々について、色調整前の色信号値から輝度値を減算した値に、前記彩度調整手段が計算した調整係数を乗算し、更に輝度値を加算して、色調整後の色信号値を計算することによって、色を調整したカラー画像を表す画像信号を生成する画像信号生成手段とを備え、
前記パラメータは、前記彩度調整手段により計算される調整係数の最大値を、色調整後の複数の色信号値のいずれもが各信号値の取り得る値の最大値以下になるような値に規定するように定められてあり、
前記彩度調整手段は、色調整後の複数の色信号値のいずれもが各信号値の取り得る値の最大値以下になるような値に、調整係数を計算するように構成してあること
を特徴とする色調整装置。
【請求項５】
前記彩度対応値は、複数の色信号値を座標値とした色空間上で各画素の色に対応する点と色相を変えずに彩度を最大に増大させた色に対応する点との間の距離を各画素の色に対応する点と白色に対応する点との間の距離で除した値であり、
前記彩度対応値計算手段は、
各画素の色相を変えずに彩度を最大に増大させた色を表す複数の色信号値を前記画像信号生成手段での計算と同一の計算方法で得るための調整係数を計算する手段と、
該手段が計算した調整係数から１を減算した値を、前記彩度対応値として計算する手段とを有すること
を特徴とする請求項４に記載の色調整装置。
【請求項６】
前記パラメータは、色調整前の彩度の内で増大させるべき彩度に応じて前記彩度対応値と同一の計算方法で計算される値の下限値及び上限値、色調整前の彩度の内で最大に増大させるべき彩度に応じて前記彩度対応値と同一の計算方法で得られる値を定めた最大設定値、並びに前記彩度対応値が前記最大設定値に等しい場合の調整係数を含んでおり、該調整係数は、前記最大設定値に１を加算した値以下で１を超過する値に定められてあり、
前記彩度調整手段は、
前記彩度対応値が前記下限値を超過して前記最大設定値未満である場合に、前記彩度対応値の増加に応じて増加するように調整係数を計算する手段と、
前記彩度対応値が前記最大設定値を超過して前記上限値未満である場合に、前記彩度対応値の増加に応じて減少するように調整係数を計算する手段とを更に有すること
を特徴とする請求項５に記載の色調整装置。
【請求項７】
前記パラメータは、色調整前の彩度の内で増大させるべき彩度に応じて前記彩度対応値と同一の計算方法で計算される値の下限値及び上限値、色調整前の彩度の内で最大に増大させるべき彩度に応じて前記彩度対応値と同一の計算方法で得られる値を定めた最大設定値、並びに前記彩度対応値が前記最大設定値に等しい場合の調整係数を前記最大設定値に１を加算した値以下で１を超過する範囲で輝度値に応じて変化させるための係数変化パラメータを含んでおり、
前記彩度調整手段は、
前記係数変化パラメータに基づいて、前記彩度対応値が前記最大設定値に等しい場合の調整係数を輝度値に応じて計算する手段と、
前記彩度対応値が前記下限値を超過して前記最大設定値未満である場合に、前記彩度対応値の増加に応じて増加するように調整係数を計算する手段と、
前記彩度対応値が前記最大設定値を超過して前記上限値未満である場合に、前記彩度対応値の増加に応じて減少するように調整係数を計算する手段とを更に有すること
を特徴とする請求項５に記載の色調整装置。
【請求項８】
前記記憶手段は、色相を分類した複数の色相範囲の夫々に関連付けて前記パラメータを記憶しており、
画像信号から、カラー画像を構成する各画素の色相を取得する色相取得手段と、
前記記憶手段に記憶されたパラメータの内、前記色相取得手段が取得した色相に関連付けられたパラメータを読み出すパラメータ読出手段とを更に備え、
前記彩度調整手段は、
前記パラメータ読出手段が読み出したパラメータに基づいた計算を行うように構成してあること
を特徴とする請求項１乃至７の何れか一つに記載の色調整装置。
【請求項９】
請求項１乃至８の何れか一つに記載の色調整装置と、
該色調整装置が色を調整したカラー画像を表示する手段と
を備えることを特徴とする画像表示装置。
【請求項１０】
画像信号が表すカラー画像の色を調整する色調整方法において、
色調整前の彩度の内で調整すべき彩度の範囲、及び色調整前の彩度に比べた色調整後の彩度の変化の範囲を規定するためのパラメータを定めておき、
画像信号から、カラー画像を構成する各画素の彩度に対応する第１対応値を計算する彩度対応値計算ステップと、
該彩度対応値計算ステップで計算した第１対応値に応じた色調整後の彩度に対応する第２対応値を、前記パラメータに基づいて計算する彩度調整ステップと、
該彩度調整ステップで計算した第２対応値に応じて、色を調整したカラー画像を表す画像信号を生成するステップとを含み、
前記パラメータは、特定の複数の色の彩度の差が色調整後に増大するように定められてあること
を特徴とする色調整方法。
【請求項１１】
前記第１対応値は、色調整前の彩度であり、
前記第２対応値は、色調整後の彩度であり、
前記パラメータは、色調整前の彩度の内で調整すべき彩度の下限値及び上限値、色調整前の彩度の内で変化量を最大にすべき彩度を定めた最大設定値、並びに色調整前の彩度が前記最大設定値に等しい場合の色調整後の彩度を含んでおり、
前記彩度調整ステップは、
色調整前の彩度が前記下限値を超過し前記最大設定値未満である場合に、色調整前の彩度の増加に応じて彩度の変化量が拡大するように色調整後の彩度を計算するステップと、
色調整前の彩度が前記最大設定値を超過し前記上限値未満である場合に、色調整前の彩度の増加に応じて彩度の変化量が縮小するように色調整後の彩度を計算するステップと
を含むことを特徴とする請求項１０に記載の色調整方法。
【請求項１２】
画像信号が表すカラー画像の彩度を増大させるべく色を調整する色調整方法において、
色調整前の彩度の内で調整すべき彩度の範囲、及び色調整前の彩度に比べた色調整後の彩度の変化の範囲を規定するためのパラメータを定めておき、
カラー画像を構成する各画素の色を複数色の組み合わせで表現するための複数の色信号値を含んだ画像信号から、各画素の輝度値を取得するステップと、
前記画像信号から、各画素の彩度に対応する彩度対応値を計算する彩度対応値計算ステップと、
該彩度対応値計算ステップで計算した彩度対応値に応じた調整係数を、前記パラメータに基づいて計算する彩度調整ステップと、
複数の色信号値の夫々について、色調整前の色信号値から輝度値を減算した値に、前記彩度調整ステップで計算した調整係数を乗算し、更に輝度値を加算して、色調整後の色信号値を計算することによって、色を調整したカラー画像を表す画像信号を生成するステップとを含み、
前記パラメータは、前記彩度調整ステップにより計算される調整係数の最大値を、色調整後の複数の色信号値のいずれもが各信号値の取り得る値の最大値以下になるような値に規定するように定められてあり、
前記彩度調整ステップでは、色調整後の複数の色信号値のいずれもが各信号値の取り得る値の最大値以下になるような値に、調整係数を計算すること
を特徴とする色調整方法。
【請求項１３】
前記彩度対応値は、複数の色信号値を座標値とした色空間上で各画素の色に対応する点と色相を変えずに彩度を最大に増大させた色に対応する点との間の距離を各画素の色に対応する点と白色に対応する点との間の距離で除した値であり、
前記彩度対応値計算ステップは、
各画素の色相を変えずに彩度を最大に増大させた色を表す複数の色信号値を前記画像信号生成ステップでの計算と同一の計算方法で得るための調整係数を計算するステップと、
計算した調整係数から１を減算した値を、前記彩度対応値として計算するステップとを有すること
を特徴とする請求項１２に記載の色調整方法。
【請求項１４】
色相を分類した複数の色相範囲の夫々に関連付けて前記パラメータを定めてあり、
画像信号から、カラー画像を構成する各画素の色相を取得するステップと、
前記パラメータの内、取得した色相に関連付けられたパラメータを読み出すステップとを更に含み、
前記彩度調整ステップでは、読み出したパラメータに基づいた計算を行うこと
を特徴とする請求項１０乃至１３の何れか一つに記載の色調整方法。
【発明の詳細な説明】
【技術分野】
【０００１】
本発明は、カラー画像を表示又は形成する装置に関し、より詳しくは、カラー画像に用いられる色を調整する色調整装置、色を調整した画像を表示する画像表示装置、及び色調整方法に関する。
【背景技術】
【０００２】
従来、カラー画像を表示する画像表示装置は、コンピュータのモニタ及びテレビジョン受像機の分野以外でも、種々の分野で使用されるようになっている。例えば、医療の分野では、内視鏡で人体内を撮影した画像等の医療用画像を画像表示装置に表示し、医療診断等が行われている。また、セキュリティの分野では、監視カメラで撮影した画像を画像表示装置に表示し、監視等が行われている。ところで、従来の画像表示装置では、カラー画像の色再現性を向上させるために、画像中の各画素の色を示す情報を調整することにより、表示される画像に含まれる色を調整するものがある。特許文献１には、画像に含まれる色の彩度又は色度を調整する技術が開示されている。
【先行技術文献】
【特許文献】
【０００３】
【特許文献１】特開２００１−６１１６０号公報
【発明の概要】
【発明が解決しようとする課題】
【０００４】
カラーの医療画像を利用する場合、画像上で内臓と血管とを見分けることが必要になることがある。しかしながら、内臓の色と血管の色とは似通っているために、見分けることが困難である。また、監視カメラで監視を行う場合、監視カメラに使用されているカラーフィルタの性能によっては、白色に近い色が画像に多く含まれ、画像上で被写体を見分けることが困難になることがある。このように、カラー画像の用途によっては、画像上に映っている物の色が似通っているために、物を見分けることが困難になるという問題がある。特許文献１には、カラー画像の色再現性を向上させるために色を調整する技術が開示されているものの、画像上に映っている物を見分けるために色を調整する技術は知られていない。
【０００５】
本発明は、斯かる事情に鑑みてなされたものであって、その目的とするところは、画像上に映る物を見分けやすくするためにカラー画像の色を調整する色調整装置、画像表示装置、及び色調整方法を提供することにある。
【課題を解決するための手段】
【０００６】
本発明に係る色調整装置は、画像信号が表すカラー画像の色を調整する色調整装置において、色調整前の彩度の内で調整すべき彩度の範囲、及び色調整前の彩度に比べた色調整後の彩度の変化の範囲を規定するためのパラメータを記憶する記憶手段と、画像信号から、カラー画像を構成する各画素の彩度に対応する第１対応値を計算する彩度対応値計算手段と、該彩度対応値計算手段が計算した第１対応値に応じた色調整後の彩度に対応する第２対応値を、前記パラメータに基づいて計算する彩度調整手段と、該彩度調整手段が計算した第２対応値に応じて、色を調整したカラー画像を表す画像信号を生成する画像信号生成手段とを備え、前記パラメータは、特定の複数の色の彩度の差が色調整後に増大するように定められてあることを特徴とする。
【０００７】
本発明に係る色調整装置は、前記第１対応値は、色調整前の彩度であり、前記第２対応値は、色調整後の彩度であり、前記パラメータは、色調整前の彩度の内で調整すべき彩度の下限値及び上限値、色調整前の彩度の内で変化量を最大にすべき彩度を定めた最大設定値、並びに色調整前の彩度が前記最大設定値に等しい場合の色調整後の彩度を含んでおり、前記彩度調整手段は、色調整前の彩度が前記下限値を超過し前記最大設定値未満である場合に、色調整前の彩度の増加に応じて彩度の変化量が拡大するように色調整後の彩度を計算する手段と、色調整前の彩度が前記最大設定値を超過し前記上限値未満である場合に、色調整前の彩度の増加に応じて彩度の変化量が縮小するように色調整後の彩度を計算する手段とを有することを特徴とする。
【０００８】
本発明に係る色調整装置は、画像信号に基づいて、各画素の彩度が取り得る最大値を計算する手段を更に備え、前記彩度調整手段は、色調整後の彩度が前記最大値以下になるように、前記第２対応値を計算する構成としてあることを特徴とする。
【０００９】
本発明に係る色調整装置は、画像信号が表すカラー画像の彩度を増大させるべく色を調整する色調整装置において、色調整前の彩度の内で調整すべき彩度の範囲、及び色調整前の彩度に比べた色調整後の彩度の変化の範囲を規定するためのパラメータを記憶する記憶手段と、カラー画像を構成する各画素の色を複数色の組み合わせで表現するための複数の色信号値を含んだ画像信号から、各画素の輝度値を取得する手段と、前記画像信号から、各画素の彩度に対応する彩度対応値を計算する彩度対応値計算手段と、該彩度対応値計算手段が計算した彩度対応値に応じた調整係数を、前記パラメータに基づいて計算する彩度調整手段と、複数の色信号値の夫々について、色調整前の色信号値から輝度値を減算した値に、前記彩度調整手段が計算した調整係数を乗算し、更に輝度値を加算して、色調整後の色信号値を計算することによって、色を調整したカラー画像を表す画像信号を生成する画像信号生成手段とを備え、前記パラメータは、前記彩度調整手段により計算される調整係数の最大値を、色調整後の複数の色信号値のいずれもが各信号値の取り得る値の最大値以下になるような値に規定するように定められてあり、前記彩度調整手段は、色調整後の複数の色信号値のいずれもが各信号値の取り得る値の最大値以下になるような値に、調整係数を計算するように構成してあることを特徴とする。
【００１０】
本発明に係る色調整装置は、前記彩度対応値は、複数の色信号値を座標値とした色空間上で各画素の色に対応する点と色相を変えずに彩度を最大に増大させた色に対応する点との間の距離を各画素の色に対応する点と白色に対応する点との間の距離で除した値であり、前記彩度対応値計算手段は、各画素の色相を変えずに彩度を最大に増大させた色を表す複数の色信号値を前記画像信号生成手段での計算と同一の計算方法で得るための調整係数を計算する手段と、該手段が計算した調整係数から１を減算した値を、前記彩度対応値として計算する手段とを有することを特徴とする。
【００１１】
本発明に係る色調整装置は、前記パラメータは、色調整前の彩度の内で増大させるべき彩度に応じて前記彩度対応値と同一の計算方法で計算される値の下限値及び上限値、色調整前の彩度の内で最大に増大させるべき彩度に応じて前記彩度対応値と同一の計算方法で得られる値を定めた最大設定値、並びに前記彩度対応値が前記最大設定値に等しい場合の調整係数を含んでおり、該調整係数は、前記最大設定値に１を加算した値以下で１を超過する値に定められてあり、前記彩度調整手段は、前記彩度対応値が前記下限値を超過して前記最大設定値未満である場合に、前記彩度対応値の増加に応じて増加するように調整係数を計算する手段と、前記彩度対応値が前記最大設定値を超過して前記上限値未満である場合に、前記彩度対応値の増加に応じて減少するように調整係数を計算する手段とを更に有することを特徴とする。
【００１２】
本発明に係る色調整装置は、前記パラメータは、色調整前の彩度の内で増大させるべき彩度に応じて前記彩度対応値と同一の計算方法で計算される値の下限値及び上限値、色調整前の彩度の内で最大に増大させるべき彩度に応じて前記彩度対応値と同一の計算方法で得られる値を定めた最大設定値、並びに前記彩度対応値が前記最大設定値に等しい場合の調整係数を前記最大設定値に１を加算した値以下で１を超過する範囲で輝度値に応じて変化させるための係数変化パラメータを含んでおり、前記彩度調整手段は、前記係数変化パラメータに基づいて、前記彩度対応値が前記最大設定値に等しい場合の調整係数を輝度値に応じて計算する手段と、前記彩度対応値が前記下限値を超過して前記最大設定値未満である場合に、前記彩度対応値の増加に応じて増加するように調整係数を計算する手段と、前記彩度対応値が前記最大設定値を超過して前記上限値未満である場合に、前記彩度対応値の増加に応じて減少するように調整係数を計算する手段とを更に有することを特徴とする。
【００１３】
本発明に係る色調整装置は、前記記憶手段は、色相を分類した複数の色相範囲の夫々に関連付けて前記パラメータを記憶しており、画像信号から、カラー画像を構成する各画素の色相を取得する色相取得手段と、前記記憶手段に記憶されたパラメータの内、前記色相取得手段が取得した色相に関連付けられたパラメータを読み出すパラメータ読出手段とを更に備え、前記彩度調整手段は、前記パラメータ読出手段が読み出したパラメータに基づいた計算を行うように構成してあることを特徴とする。
【００１４】
本発明に係る画像表示装置は、本発明に係る色調整装置と、該色調整装置が色を調整したカラー画像を表示する手段とを備えることを特徴とする。
【００１５】
本発明に係る色調整方法は、画像信号が表すカラー画像の色を調整する色調整方法において、色調整前の彩度の内で調整すべき彩度の範囲、及び色調整前の彩度に比べた色調整後の彩度の変化の範囲を規定するためのパラメータを定めておき、画像信号から、カラー画像を構成する各画素の彩度に対応する第１対応値を計算する彩度対応値計算ステップと、該彩度対応値計算ステップで計算した第１対応値に応じた色調整後の彩度に対応する第２対応値を、前記パラメータに基づいて計算する彩度調整ステップと、該彩度調整ステップで計算した第２対応値に応じて、色を調整したカラー画像を表す画像信号を生成するステップとを含み、前記パラメータは、特定の複数の色の彩度の差が色調整後に増大するように定められてあることを特徴とする。
【００１６】
本発明に係る色調整方法は、前記第１対応値は、色調整前の彩度であり、前記第２対応値は、色調整後の彩度であり、前記パラメータは、色調整前の彩度の内で調整すべき彩度の下限値及び上限値、色調整前の彩度の内で変化量を最大にすべき彩度を定めた最大設定値、並びに色調整前の彩度が前記最大設定値に等しい場合の色調整後の彩度を含んでおり、前記彩度調整ステップは、色調整前の彩度が前記下限値を超過し前記最大設定値未満である場合に、色調整前の彩度の増加に応じて彩度の変化量が拡大するように色調整後の彩度を計算するステップと、色調整前の彩度が前記最大設定値を超過し前記上限値未満である場合に、色調整前の彩度の増加に応じて彩度の変化量が縮小するように色調整後の彩度を計算するステップとを含むことを特徴とする。
【００１７】
本発明に係る色調整方法は、画像信号が表すカラー画像の彩度を増大させるべく色を調整する色調整方法において、色調整前の彩度の内で調整すべき彩度の範囲、及び色調整前の彩度に比べた色調整後の彩度の変化の範囲を規定するためのパラメータを定めておき、カラー画像を構成する各画素の色を複数色の組み合わせで表現するための複数の色信号値を含んだ画像信号から、各画素の輝度値を取得するステップと、前記画像信号から、各画素の彩度に対応する彩度対応値を計算する彩度対応値計算ステップと、該彩度対応値計算ステップで計算した彩度対応値に応じた調整係数を、前記パラメータに基づいて計算する彩度調整ステップと、複数の色信号値の夫々について、色調整前の色信号値から輝度値を減算した値に、前記彩度調整ステップで計算した調整係数を乗算し、更に輝度値を加算して、色調整後の色信号値を計算することによって、色を調整したカラー画像を表す画像信号を生成するステップとを含み、前記パラメータは、前記彩度調整ステップにより計算される調整係数の最大値を、色調整後の複数の色信号値のいずれもが各信号値の取り得る値の最大値以下になるような値に規定するように定められてあり、前記彩度調整ステップでは、色調整後の複数の色信号値のいずれもが各信号値の取り得る値の最大値以下になるような値に、調整係数を計算することを特徴とする。
【００１８】
本発明に係る色調整方法は、前記彩度対応値は、複数の色信号値を座標値とした色空間上で各画素の色に対応する点と色相を変えずに彩度を最大に増大させた色に対応する点との間の距離を各画素の色に対応する点と白色に対応する点との間の距離で除した値であり、前記彩度対応値計算ステップは、各画素の色相を変えずに彩度を最大に増大させた色を表す複数の色信号値を前記画像信号生成ステップでの計算と同一の計算方法で得るための調整係数を計算するステップと、計算した調整係数から１を減算した値を、前記彩度対応値として計算するステップとを有することを特徴とする。
【００１９】
本発明に係る色調整方法は、色相を分類した複数の色相範囲の夫々に関連付けて前記パラメータを定めてあり、画像信号から、カラー画像を構成する各画素の色相を取得するステップと、前記パラメータの内、取得した色相に関連付けられたパラメータを読み出すステップとを更に含み、前記彩度調整ステップでは、読み出したパラメータに基づいた計算を行うことを特徴とする。
【００２０】
本発明においては、色調整装置は、調整すべき彩度の範囲と彩度の変化の範囲とを規定するパラメータを定めておき、パラメータに基づいて、色を調整した画像信号を生成する。特定の複数の色の彩度の差が増大するようにパラメータを定めておくことによって、画像上に映る複数の物の色の差が大きくなるように彩度を調整することができる。
【００２１】
また、本発明においては、パラメータは、色調整前の彩度の内で変化量を最大にすべき彩度を定めた最大設定値、及び色調整前の彩度が最大設定値である場合の色調整後の彩度を含んでいる。色調整装置は、調整すべき彩度の内、最大設定値未満の彩度については、彩度の増加に応じて彩度の変化量を拡大させ、最大設定値を超過する彩度については、彩度の増加に応じて彩度の変化量を縮小させる。このようにして、色調整装置は彩度を調整する。
【００２２】
また、本発明においては、色調整装置は、色調整後の彩度が彩度の取り得る最大値以下になるように、色を調整する。これにより、画像上で色ずれが発生し難くなる。
【００２３】
本発明においては、色調整装置は、色調整前の色信号値から輝度値を減算した値に調整係数を乗算し、更に輝度値を加算することによって、色調整後の色信号値を計算するようにしてあり、色調整前の彩度に対応する彩度対応値に応じて調整係数を定めることによって、色を調整する。調整係数が１を超過する場合に、彩度が増大される。色空間の変更をせずに彩度に応じた色調整が可能となり、画素の輝度及び色相を変更せずに彩度を増大させることができる。
【００２４】
また、本発明においては、色調整装置は、複数の色信号値を座標値とした色空間上で各画素の色に対応する点と色相を変えずに彩度を最大に増大させた色に対応する点との間の距離を各画素の色に対応する点と白色に対応する点とを間の距離で除した値を、彩度対応値として計算し、計算した彩度対応値に応じて調整係数を計算する。彩度対応値は容易に計算することができ、簡易な計算で色調整が可能となる。
【００２５】
また、本発明においては、色調整後の色信号値が取り得る値の最大値を超過しないように、調整係数の最大値を、対応する所定の彩度対応値に１を加算した値以下に定めておく。色調整装置は、色調整後の色信号値が取り得る値の最大値を超過しないような範囲で、彩度対応値に応じて調整係数を計算する。これにより、画像表示装置で表示可能な最大彩度を超えない範囲で彩度を増大させることができる。
【００２６】
また、本発明においては、色調整装置は、調整係数の最大値を、対応する所定の彩度対応値に１を加算した値以下で、しかも輝度値に応じた値に計算する。これにより、色調整装置は、輝度値に応じて調整係数を調整し、彩度を輝度値に依存した値に調整することができる。
【００２７】
また、本発明においては、色調整装置は、色相を複数の色相範囲に分類しておき、夫々の色相範囲についてパラメータを定めてある。このため、特定の複数の色の夫々が異なる色相範囲に入るように色相範囲を分類することにより、色相範囲別に彩度の変化を異ならせ、画像上に映る複数の物の色の差を大きくすることができる。
【発明の効果】
【００２８】
本発明にあっては、画像上に映る複数の物の色の差が大きくなるように、画像の色の彩度を変化させることができるので、使用者が画像上に映る複数の物を見分けることが従来よりも容易になる等、本発明は優れた効果を奏する。
【図面の簡単な説明】
【００２９】
【図１】実施の形態１に係る画像表示装置の内部の機能構成を示すブロック図である。
【図２】複数の色相範囲を説明する説明図である。
【図３】複数の色相範囲を色度図上で説明する説明図である。
【図４】彩度調整部による調整前の彩度と調整後の彩度との関係の例を表した特性図である。
【図５】調整前の彩度と調整後の彩度との関係の他の例を表した特性図である。
【図６】実施の形態１に係る色調整装置が実行する処理の手順を示すフローチャートである。
【図７】実施の形態２に係る画像表示装置の内部の機能構成を示すブロック図である。
【図８】Ａｍａｘの値と彩度との関係を色度図上で説明する説明図である。
【図９】彩度対応値Ｃと調整係数との関係を表した特性図である。
【図１０】輝度と調整係数Ａｅとの関係を表した特性図である。
【図１１】実施の形態２に係る色調整装置が実行する処理の手順を示すフローチャートである。
【図１２】彩度対応値計算処理のサブルーチンの処理手順を示すフローチャートである。
【発明を実施するための形態】
【００３０】
以下本発明をその実施の形態を示す図面に基づき具体的に説明する。
（実施の形態１）
図１は、実施の形態１に係る画像表示装置の内部の機能構成を示すブロック図である。本発明に係る画像表示装置は、カラー画像を表示する装置である。画像表示装置は、液晶パネル又はＥＬ（Electro Luminescence）パネル等の画像表示デバイスを用いて画像を表示する表示部２１と、画像を表す画像信号を入力される入力部２２と、画像に含まれる色の彩度を調整する色調整回路１０とを備えている。入力部２２は、画像に含まれる夫々の画素の色を表現するＲ（赤）、Ｇ（緑）及びＢ（青）の色信号を含む画像信号を外部から入力されるインタフェースである。例えば、画像表示装置はコンピュータのモニタであり、入力部２２にはコンピュータの本体から画像信号が入力される。なお、画像表示装置は、静止画又は動画の何れか一方を表示する装置であってもよく、両方を表示する装置であってもよい。また、画像表示装置は、アンテナで受信した放送信号に基づいた画像を表示するテレビジョン受像機等のように、画像信号を生成する機能を備え、生成した画像を入力部２２へ入力する形態であってもよい。
【００３１】
色調整回路１０は、入力部２２と表示部２１との間に接続されている。色調整回路１０は、入力部２２から画像信号を入力され、画像信号が表す画像に含まれる各画素の色を調整すべく画像信号を調整する処理を行い、調整した画像信号を出力する。表示部２１は、色調整回路１０が出力した画像信号を入力され、入力された画像信号に基づいて画像を表示する。また、画像表示装置は、画像信号から各画素の色の色相を計算する色相計算部３１を備えている。色相計算部３１は、色相取得手段に相当する。色相計算部３１は、入力部２２及び色調整回路１０に接続されている。色相計算部３１は、例えば、画像信号に含まれるＲＧＢの色信号値から、所定の計算方法で色相を計算する。色相の計算方法には、周知の計算方法が用いられる。色相計算部３１は、計算した色相を色調整回路１０へ入力する。
【００３２】
色調整回路１０は、画像表示装置内の他のデバイスとデータを交換するためのインタフェース３２に接続されている。インタフェース３２には、画像表示装置の動作を制御する制御部３３と、不揮発性のＲＯＭ（Read Only Memory）３４と、ＲＡＭ（Random Access Memory）３５とが接続されている。ＲＡＭ３５及びＲＯＭ３４は、記憶手段に相当する。制御部３３は、例えばマイクロコントローラで構成されている。ＲＯＭ３４には制御プログラムが記憶されており、制御部３３は、ＲＯＭ３４が記憶している制御プログラムに基づいた処理を実行する。また、ＲＯＭ３４は、色調整のために用いられるパラメータを予め記憶している。制御部３３は、ＲＯＭ３４が記憶しているパラメータを読み出し、読み出したパラメータをＲＡＭ３５に記憶させる処理を行う。色調整回路１０、色相計算部３１、インタフェース３２、制御部３３、ＲＯＭ３４及びＲＡＭ３５は、本実施の形態に係る色調整装置１を構成している。
【００３３】
色調整回路１０は、画像信号から画像に含まれる各画素の色の彩度を計算する彩度計算部１１と、表示部２１で表示可能な色の最大彩度を計算する最大彩度計算部１２とを備えている。彩度計算部１１は、彩度対応値計算手段に相当する。彩度計算部１１及び最大彩度計算部１２は、入力部２２に接続されており、入力部２２から画像信号を入力される。彩度計算部１１は、例えば、画像信号に含まれるＲＧＢの色信号値から、所定の計算方法で彩度を計算する。彩度の計算方法には、周知の計算方法が用いられる。また、最大彩度計算部１２は、最大彩度を所定の方法で計算する。例えば、最大彩度計算部１２は、ＲＧＢの色信号値を変化させ、彩度が最大になる値を計算する。
【００３４】
また、色調整回路１０は、色相に応じて色調整に必要なパラメータを選択する処理を行うパラメータ選択部１４を備えており、パラメータ選択部１４は色相計算部３１に接続されている。パラメータ選択部１４は、パラメータ読出手段に相当する。彩度計算部１１、最大彩度計算部１２及びパラメータ選択部１４には、最大彩度及びパラメータを用いて彩度を調整する彩度調整部１３が接続されている。彩度調整部１３は、彩度調整手段に相当する。彩度調整部１３には、調整された彩度に応じた画像信号を計算する画像信号計算部１５が接続されている。画像信号計算部１５は、画像信号生成手段に相当する。例えば、画像信号計算部１５は、彩度計算部１１での計算方法と逆の計算を行って画像信号を計算する。画像信号計算部１５が計算した画像信号が表す画像は、彩度が調整された画像となる。画像信号計算部１５は、表示部２１に接続されており、計算した画像信号を表示部２１へ入力する。
【００３５】
本実施の形態で使用するパラメータについて説明する。本実施の形態では、予め色相を複数の色相範囲に分類してある。図２は、複数の色相範囲を説明する説明図である。図２には色相環を示しており、円周方向に色相の異なる色を順に円環状に並べたものである。図中では、Ｎを自然数として、０番から（Ｎ−１）番までのＮ個の色相範囲に色相環を分割してある。ｎは（Ｎ−１）未満の自然数である。全ての色相は、Ｎ個の色相範囲の何れかに含まれることになる。
【００３６】
図３は、複数の色相範囲を色度図上で説明する説明図である。図３にはＸＹ色度図を示しており、図中のＧは、画像表示装置で利用される画像信号に含まれるＧの値が最大値になりＢ及びＲの値がゼロになった場合の色の色度図上の位置を示す。同様に、図３中のＢは画像信号中のＢの値が最大値になった場合の色の位置を示し、図３中のＲは画像信号中のＲの値が最大値になった場合の色の位置を示す。図３中のＲＧＢの三点を結んだ三角形の範囲内の色が、画像表示装置で表示することが可能な色である。また、図３中には白色の位置をＷで示している。Ｎ個の色相範囲は、Ｗの点を中心にして周回方向に色度図を分割するように配置される。
【００３７】
本実施の形態では、Ｎ個に分類した色相範囲を予め規定してあり、夫々の色相範囲を示した色相データがＲＯＭ３４に記憶されている。例えば、色相データには、色相の値の範囲と０〜（Ｎ−１）の何れかの番号とが関連付けられたデータが含まれている。Ｎ個の色相範囲は、画像上に映る物の内で見分ける必要のある複数の物の色が夫々に異なる色相範囲に含まれるように、経験的に予め定められている。例えば、カラーの医療画像に映る内臓の色の色相が０番の色相範囲に含まれ、血管の色の色相が１番の色相範囲に含まれるように、Ｎ個の色相範囲が定められている。
【００３８】
Ｎ個の色相範囲の夫々について、色調整のために利用されるパラメータが予め定められている。パラメータには、調整前の彩度の内で調整すべき彩度の下限値Ｓ1 、変化量を最大にすべき彩度Ｓ2 、調整前の彩度の内で調整すべき彩度の上限値Ｓ3 、及び彩度Ｓ2 を変化させた後の彩度Ｓｅとが含まれている。彩度Ｓ2 は最大設定値に相当する。図４は、彩度調整部１３による調整前の彩度と調整後の彩度との関係の例を表した特性図である。図中の横軸は、色調整装置１へ入力される画像信号が表す色の彩度、即ち調整前の彩度Ｓ＿ｉｎを示している。縦軸は、色調整装置１から出力される画像信号が表す色の彩度、即ち調整後の彩度Ｓ＿ｏｕｔを示している。彩度の大小関係は、Ｓ1 ＜Ｓ2 ＜Ｓ3 となっており、Ｓ2 ≦Ｓｅ≦Ｓ3 となっている。また、Ｓｍａｘは、画像表示装置で表示可能な色の彩度の最大値であり、Ｓ1 、Ｓ2 、Ｓｅ及びＳ3 はＳｍａｘ以下になっていることが望ましい。
【００３９】
図４に示すように、Ｓ1 以下の彩度、及びＳ3 以上Ｓｍａｘ以下の彩度については、Ｓ＿ｏｕｔはＳ＿ｉｎと等しくなる。彩度調整部１３は、Ｓ1 、Ｓ2 、Ｓｅ及びＳ3 を含むパラメータに基づいて、Ｓ1 を超過しＳ3 未満の彩度を増大させる処理を行う。詳細には、彩度調整部１３は、Ｓ1 〜Ｓ3 の彩度の内、Ｓ2 をＳｅに増大させる処理を行う。また、彩度調整部１３は、Ｓ1 からＳ2 までの範囲のＳ＿ｉｎを、彩度の増大量がＳ＿ｉｎの増加に応じて拡大するように、増大させる。また、彩度調整部１３は、Ｓ2 からＳ3 までの範囲のＳ＿ｉｎを、彩度の増大量がＳ＿ｉｎの増加に応じて縮小するように、増大させる。図４を参照すれば、Ｓ1 からＳ2 までの範囲のＳ＿ｉｎは、Ｓ＿ｏｕｔとＳ＿ｉｎとの関係が（Ｓ1 ，Ｓ1 ）と（Ｓ2 、Ｓｅ）とを結ぶ直線上に乗った関係となるように増大され、Ｓ2 からＳ3 までの範囲のＳ＿ｉｎは、Ｓ＿ｏｕｔとＳ＿ｉｎとの関係が（Ｓ2 、Ｓｅ）と（Ｓ3 ，Ｓ3 ）とを結ぶ直線上に乗った関係となるように増大される。
【００４０】
また、パラメータは、彩度を減少させるように定めることも可能である。図５は、調整前の彩度と調整後の彩度との関係の他の例を表した特性図である。図５に示した例では、Ｓｅ＜Ｓ2 となっている。彩度調整部１３は、Ｓ1 、Ｓ2 、Ｓｅ及びＳ3 を含むパラメータに基づいて、Ｓ1 を超過しＳ3 未満の彩度を減少させる処理を行う。詳細には、彩度調整部１３は、Ｓ1 〜Ｓ3 の彩度の内、Ｓ2 をＳｅへ減少させる処理を行う。また、彩度調整部１３は、Ｓ1 からＳ2 までの範囲のＳ＿ｉｎを、彩度の減少量がＳ＿ｉｎの増加に応じて拡大するように、減少させる。また、彩度調整部１３は、Ｓ2 からＳ3 までの範囲のＳ＿ｉｎを、彩度の減少量がＳ＿ｉｎの増加に応じて縮小するように、減少させる。図５を参照すれば、Ｓ1 からＳ2 までの範囲のＳ＿ｉｎは、Ｓ＿ｏｕｔとＳ＿ｉｎとの関係が（Ｓ1 ，Ｓ1 ）と（Ｓ2 、Ｓｅ）とを結ぶ直線上に乗った関係となるように減少され、Ｓ2 からＳ3 までの範囲のＳ＿ｉｎは、Ｓ＿ｏｕｔとＳ＿ｉｎとの関係が（Ｓ2 、Ｓｅ）と（Ｓ3 ，Ｓ3 ）とを結ぶ直線上に乗った関係となるように減少される。
【００４１】
図４及び図５に示すように、Ｓ1 、Ｓ2 、Ｓｅ及びＳ3 を定めれば、任意の彩度の変化量が定まり、彩度を調整した値が求められる。Ｓｅ＝Ｓ2 とすることも可能であり、この場合は彩度は変化しない。Ｓ1 、Ｓ2 、Ｓｅ及びＳ3 を含むパラメータは、Ｎ個の色相範囲の夫々について定められており、ＲＯＭ３４に予め記憶されている。例えば、色相範囲の番号０〜（Ｎ−１）と、Ｓ1 、Ｓ2 、Ｓｅ及びＳ3 とが関連付けて記憶されている。色相範囲別のＳ1 、Ｓ2 、Ｓｅ及びＳ3 は、特定の複数の色の彩度の差が色調整によって増大するように、経験的に予め定められている。特定の複数の色は、画像上に映る物の内で見分ける必要のある特定の複数の物の色に対応する。特に、特定の複数の色は、互いに似通っており、しかも見分ける必要のある特定の複数の物の色に対応する。例えば、１番の色相範囲では彩度が増大するようにパラメータを定め、０番の色相範囲では彩度が減少するようにパラメータを定めておく。このようなパラメータにより、１番の色相範囲に含まれる特定の色と、０番の色相範囲に含まれる特定の色との彩度の差が増大するようになる。
【００４２】
次に、色調整方法の手順を説明する。制御部３３は、画像処理装置の起動時等の所定のタイミングで、パラメータ及び色相データをＲＯＭ３４から読み出し、ＲＡＭ３５に記憶させておく。図６は、実施の形態１に係る色調整装置１が実行する処理の手順を示すフローチャートである。入力部２２から色調整回路１０及び色相計算部３１へ一画素分の画像信号が入力され（Ｓ１０１）、彩度計算部１１は、画像信号から所定の計算方法で彩度を計算し（Ｓ１０２）、色相計算部３１は、画像信号から色相を計算し（Ｓ１０３）、最大彩度計算部１２は、最大彩度を計算する（Ｓ１０４）。Ｓ１０１、Ｓ１０２、Ｓ１０３及びＳ１０４の処理は、他の順番で実行されてもよく、並行して実行されてもよい。
【００４３】
パラメータ選択部１４は、色相計算部３１で計算した色相の値が含まれる色相範囲を判定する（Ｓ１０５）。ステップＳ１０５では、パラメータ選択部１４は、ＲＡＭ３５に記憶されている色相データを参照し、色相データに含まれるＮ個の色相範囲と計算した色相の値とを比較し、Ｎ個の色相範囲の中から色相の値が含まれる色相範囲を判定する。パラメータ選択部１４は、判定した色相範囲に応じて、彩度を調整するためのパラメータを選択する（Ｓ１０６）。ステップＳ１０６では、パラメータ選択部１４は、Ｎ個の色相範囲に関連付けられてＲＡＭ３５に記憶されているパラメータの内、判定した色相範囲に関連付けられたパラメータをＲＡＭ３５から読み出す。例えば、パラメータ選択部１４は、判定した色相範囲の番号に関連付けられているＳ1 、Ｓ2 、Ｓｅ及びＳ3 をＲＡＭ３５から読み出す。パラメータ選択部１４は、パラメータを彩度調整部１３へ入力する。
【００４４】
彩度調整部１３は、パラメータ選択部１４が読み出したパラメータを参照し、彩度計算部１１が計算した調整前の彩度が、パラメータに含まれるＳ1 以下であるか、又はＳ3 以上であるか否かを判定する（Ｓ１０７）。調整前の彩度がＳ1 以下又はＳ3 以上である場合は（Ｓ１０７：ＹＥＳ）、彩度調整部１３は、彩度を変更しないことを示す信号を画像信号計算部１５へ入力し、画像信号計算部１５は、入力部２２から色調整回路１０へ入力された画像信号を変更せずに表示部２１へ出力する（Ｓ１０８）。
【００４５】
調整前の彩度がＳ1 を超過してＳ3 未満である場合は（Ｓ１０７：ＮＯ）、彩度調整部１３は、調整前の彩度が、パラメータに含まれるＳ2 未満であるか否かを判定する（Ｓ１０９）。調整前の彩度がＳ2 未満である場合は（Ｓ１０９：ＹＥＳ）、彩度調整部１３は、パラメータに含まれるＳ1 、Ｓ2 及びＳｅに基づいて、調整後の彩度を計算する（Ｓ１１０）。具体的には、彩度調整部１３は、図４又は図５に示す如き、調整前の彩度Ｓ＿ｉｎの増加に応じて彩度の変化量が拡大し、Ｓ＿ｉｎ＝Ｓ2 でＳ＿ｏｕｔ＝Ｓｅとなるような、調整前の彩度Ｓ＿ｉｎと調整後の彩度Ｓ＿ｏｕｔとの対応関係に従って、調整前の彩度Ｓ＿ｉｎに応じた調整後の彩度Ｓ＿ｏｕｔを計算する。ステップＳ１０９で調整前の彩度がＳ2 以上である場合は（Ｓ１０９：ＮＯ）、彩度調整部１３は、調整前の彩度がＳ2 を超過するか否かを判定する（Ｓ１１１）。調整前の彩度がＳ2 を超過する場合は（Ｓ１１１：ＹＥＳ）、彩度調整部１３は、パラメータに含まれるＳ2 、Ｓｅ及びＳ3 に基づいて、調整後の彩度を計算する（Ｓ１１２）。具体的には、彩度調整部１３は、図４又は図５に示す如き、Ｓ＿ｉｎ＝Ｓ2 でＳ＿ｏｕｔ＝Ｓｅであり調整前の彩度Ｓ＿ｉｎの増加に応じて彩度の変化量が縮小するような、調整前の彩度Ｓ＿ｉｎと調整後の彩度Ｓ＿ｏｕｔとの対応関係に従って、調整前の彩度Ｓ＿ｉｎに応じた調整後の彩度Ｓ＿ｏｕｔを計算する。ステップＳ１１１で調整前の彩度がＳ2 である場合は（Ｓ１１１：ＮＯ）、彩度調整部１３は、調整後の彩度をＳｅに定める（Ｓ１１３）。
【００４６】
ステップＳ１１０、Ｓ１１２又はＳ１１３が終了した後は、彩度調整部１３は、計算した調整後の彩度が、最大彩度計算部１２が計算した最大彩度を超過しているか否かを判定する（Ｓ１１４）。調整後の彩度が最大彩度を超過している場合は（Ｓ１１４：ＹＥＳ）、彩度調整部１３は、調整後の彩度を最大彩度に定める（Ｓ１１５）。調整後の彩度が最大彩度以下である場合（Ｓ１１４：ＮＯ）、又はステップＳ１１５が終了した後は、彩度調整部１３は、調整した彩度を画像信号計算部１５へ入力する。画像信号計算部１５は、彩度調整部１３から入力された彩度に応じた画像信号を計算し（Ｓ１１６）、計算した画像信号を表示部２１へ出力する（Ｓ１１７）。色調整装置１は、入力部２２から、画像に含まれる全ての画素に係る画像信号を入力され、全ての画素についてステップＳ１０１〜Ｓ１１７の処理を実行する。表示部２１は、色調整回路１０からの画像信号に基づいて画像を表示することにより、色を調整した画像を表示する。画像が動画である場合は、色調整装置１は、フレーム毎又はフィールド毎に処理を実行し、表示部２１は、色を調整した画像を表示する。
【００４７】
なお、色調整装置１は、調整前の彩度がＳ1 以下又はＳ3 以上である場合にも画像信号を計算する処理を行う形態であってもよい。この形態では、彩度調整部１３は、ステップＳ１０８の代わりに、調整後の彩度を調整前の彩度と等しい値に定める処理を行い、次に処理をステップＳ１１４へ進める。
【００４８】
以上詳述した如く、色調整装置１は、予め、色相を複数の色相範囲に分類し、夫々の色相範囲について調整すべき彩度の範囲と彩度の変化の範囲とを規定するパラメータを定めておき、パラメータに基づいて、画像に含まれる色の彩度を調整する。色相範囲別にパラメータを定めてあるので、どの範囲の彩度をどの程度増大又は減少させるのかを色相範囲別に異ならせることができる。また、パラメータは、特定の複数の色の彩度の差が色調整後に増大するように予め定められている。
【００４９】
例えば、１番の色相範囲ではＳｅ＞Ｓ2 として彩度を増大させるようにしておき、０番の色相範囲ではＳｅ＜Ｓ2 として彩度を減少させるようにしておく。カラーの医療画像に映る内臓の色の色相が０番の色相範囲に含まれ、血管の色の色相が１番の色相範囲に含まれる場合、内臓の色の彩度は減少する一方で、血管の色の彩度は増大される。色相が０番の色相範囲に含まれる内臓の色と、色相が１番の色相範囲に含まれる血管の色とは似通っているものの、一方の色の彩度が減少して他方の色の彩度が増大されるので、両者の色の彩度の差が増大する。例えば色度図上で両者の色の間の距離が長くなる。このため、画像上に映る内臓と血管との色の差が大きくなり、従来に比べて画像上で内臓と血管とを見分けることがより容易になる。
【００５０】
同様に、監視カメラで撮影した画像においても、画像上に映る複数の物の色の差が大きくなるように彩度を調整することにより、従来に比べて画像上で被写体を見分けることがより容易になる。本発明では、複数の色相範囲、及び各色相範囲についてのパラメータは、画像上に映る物の内で見分ける必要のある複数の物の典型的な色が夫々に異なる色相範囲に含まれ、色相範囲間で彩度の変化が異なるように、経験的に適切に定めておけばよい。このように、本実施の形態では、特定の複数の色の彩度の差が色調整後に増大するようにパラメータを定めておくことにより、似通った色の違いが大きくなるように色を調整することができ、画像表示装置が表示する画像上に映る物が従来よりも見分けやすくなる。
【００５１】
また、本発明は、特定の複数の色の色相が同一の色相範囲に含まれる場合でも、利用可能である。この場合は、特定の複数の色の彩度の差が色調整後に増大するように、Ｓ1 、Ｓ2 、Ｓｅ及びＳ3 を含むパラメータを適切に定めておけばよい。例えば、０番の色相範囲に内臓及び血管の色の色相が含まれる場合に、内臓の典型的な色の彩度がＳ1 以下となり、血管の典型的な色の彩度がＳ2 となり、Ｓｅ＞Ｓ2 となるようにパラメータを定めておく。これにより、画像上で、内臓の色の彩度はあまり変化せず、血管の色の彩度は大きく増大されるので、内臓と血管との色の差が大きくなり、内臓と血管とを見分けることがより容易になる。
【００５２】
なお、色調整装置１は、色相を複数の色相範囲に分類することをしない形態であってもよい。この形態では何れの色相においても同一のパラメータに基づいて色の彩度が調整される。この形態では、色調整装置１は色相計算部３１を備えておらず、ＲＯＭ３４及びＲＡＭ３５は、色相データを記憶しておらず、一種類のパラメータを記憶している。また、この形態では、色調整装置１は、ステップＳ１０３及びＳ１０５の処理を実行せず、ステップＳ１０４では色相計算部３１での計算結果を用いずに最大彩度を計算し、ステップＳ１０６では一種類のパラメータを読み出す処理を行う。この形態においても、特定の複数の色の彩度の差が色調整後に増大するようにパラメータを定めることができる。このため、この形態でも、画像上に映る複数の物の色の差が大きくなるように彩度を変化させ、従来に比べて画像上に映る複数の物を見分けることをより容易にさせることが可能となる。
【００５３】
また、色調整装置１は、最大彩度を利用せずに彩度を調整する形態であってもよい。この形態では、色調整装置１は、最大彩度計算部１２を備えておらず、ステップＳ１０４の処理を実行しない。彩度調整部１３が調整した彩度は、最大彩度を超えることがある。彩度が最大彩度を超えた色は、表示部２１で画像が表示される際は、彩度が飽和して最大彩度になった色として表示される。この形態でも、画像上に映る複数の物の色の差が大きくなるように彩度を変化させ、従来に比べて画像上で被写体を見分けることをより容易にさせることが可能となる。
【００５４】
また、色調整装置１は、画素の色を輝度信号及び色差信号で表した画像信号等、ＲＧＢの色信号値を含む画像信号以外の画像信号を受け付ける形態であってもよい。特に、色調整装置１は、色相を示す信号及び彩度を示す信号を含む画像信号を受け付ける形態であってもよい。この形態では、彩度計算部１１は、画像信号から彩度を抽出する処理を行い、色相計算部３１は、画像信号から色相の値を抽出する処理を行う。
【００５５】
なお、本実施の形態においては、第１対応値が調整前の彩度であり、第２対応値が調整後の彩度である形態を示したが、色調整装置１は、彩度そのものではなく、彩度に対応したその他の値を第１対応値又は第２対応値として使用した形態であってもよい。例えば、色調整装置１は、後述の実施の形態２で説明する彩度対応値を第１対応値及び第２対応値として利用し、調整前の彩度に対応する彩度対応値に応じて、調整後の彩度に対応する彩度対応値を計算し、計算した彩度対応値に応じて画像信号を計算する形態であってもよい。
【００５６】
（実施の形態２）
図７は、実施の形態２に係る画像表示装置の内部の機能構成を示すブロック図である。画像表示装置は、色調整回路４０を備えている。色調整回路４０、色相計算部３１、インタフェース３２、制御部３３、ＲＯＭ３４及びＲＡＭ３５は、本実施の形態に係る色調整装置４を構成している。画像表示装置のその他の構成は、実施の形態１と同様であり、対応する部分に同符号を付してその説明を省略する。
【００５７】
色調整回路４０は、画像信号から画像に含まれる各画素の輝度を計算する輝度計算部４１と、画像信号に含まれるＲＧＢ夫々の値と輝度との差分を計算する差分計算部４２とを備えている。輝度計算部４１及び差分計算部４２は、入力部２２に接続されており、入力部２２から画像信号を入力される。輝度計算部４１は、画像信号に含まれるＲＧＢの値から、所定の計算方法で輝度を計算する。例えば、輝度計算部４１は、輝度の値をＹとして、下記の（１）式を用いて輝度を計算する。
Ｙ＝０．２９９Ｒ＋０．５８７Ｇ＋０．１１４Ｂ  …（１）
【００５８】
差分計算部４２は、輝度計算部４１に接続されており、輝度を入力され、画像信号に含まれるＲＧＢ夫々の色信号値と輝度との差分を計算する。輝度計算部４１及び差分計算部４２には、彩度に対応する彩度対応値を計算する彩度対応値計算部４３が接続されている。彩度対応値計算部４３は彩度対応値計算手段に相当する。輝度計算部４１は計算した輝度を彩度対応値計算部４３へ入力し、差分計算部４２は計算した差分の値を彩度対応値計算部４３へ入力する。彩度対応値計算部４３は、入力された輝度及び差分から、後述する計算方法で彩度対応値を計算する。
【００５９】
また、色調整回路４０は、パラメータ選択部４４を備えており、パラメータ選択部４４は色相計算部３１に接続されている。輝度計算部４１、彩度対応値計算部４３及びパラメータ選択部４４には、彩度を増大させるように色を調整した画像信号を計算するために必要な後述の調整係数を計算する調整係数計算部４５が接続されている。調整係数計算部４５は調整係数計算手段に相当する。調整係数計算部４５は、パラメータ選択部４４が選択したパラメータを用いて、彩度を増大させるように調整係数を計算する。輝度計算部４１、差分計算部４２及び調整係数計算部４５には、調整係数計算部４５が計算した調整係数を用いて画像信号を計算する画像信号計算部４６が接続されている。画像信号計算部４６が計算した画像信号が表す画像は、彩度が調整された画像となる。画像信号計算部４６は、表示部２１に接続されており、計算した画像信号を表示部２１へ入力する。
【００６０】
本実施の形態で使用するパラメータについて説明する。本実施の形態では、実施の形態１と同様に、Ｎ個に分類した色相範囲を予め規定してあり、夫々の色相範囲を示した色相データがＲＯＭ３４に記憶されている。また、本実施の形態では、ＲＧＢの色信号値を含む画像信号から一旦彩度を計算する処理を経ることなく、画像信号から直接に、調整後の色を表すＲＧＢの色信号値を含む画像信号を計算する。本実施の形態では、調整前のＲＧＢの色信号値をＲｉ、Ｇｉ、Ｂｉとし、調整後のＲＧＢの色信号値をＲｏ、Ｇｏ、Ｂｏとして、下記の（２）〜（４）式を用いて彩度を増大した色を表すＲＧＢの色信号値を計算する。
Ｒｏ＝Ａ（Ｒｉ−Ｙ）＋Ｙ  …（２）
Ｇｏ＝Ａ（Ｇｉ−Ｙ）＋Ｙ  …（３）
Ｂｏ＝Ａ（Ｂｉ−Ｙ）＋Ｙ  …（４）
【００６１】
（２）〜（４）式におけるＡは、色調整を行うための調整係数である。調整係数Ａが１である場合は、ＲＧＢの値は変化せず、色の彩度も変化しない。調整係数Ａが１を超過する値をとった場合は、ＲＧＢの値が変化し、ＲＧＢの色信号が表す色の彩度が増大される。一方で、（１）式のＲＧＢに（２）〜（４）式のＲｏ、Ｇｏ及びＢｏを代入してもＹは変化しない。（１）式に限らず、ＲＧＢ値から輝度を求めるための他の方法を用いた場合でも、輝度Ｙは変化しない。即ち、（２）〜（４）式を用いてＲＧＢの色信号値を変化させた場合は、輝度Ｙは変化しない。同様に、（２）〜（４）式を用いてＲＧＢの色信号値を変化させた場合、色相は変化しない。従って、調整係数Ａを調整し、（２）〜（４）式を用いてＲＧＢの色信号値を計算することによって、画像の色の輝度及び色相を変化させずに、彩度を調整することができる。但し、調整係数Ａを無制限に変化させた場合は、画像表示装置で表示可能な色の範囲外の色になってしまう可能性があるので、調整係数Ａを調整する範囲を制限する必要がある。
【００６２】
Ｒｉ、Ｇｉ及びＢｉが得られた場合に画像表示装置で表示可能な色の範囲内で調整係数Ａが取り得る最大値をＡｍａｘとする。また、ＲＧＢＹの夫々が取り得る最大値をＭとする。ＲＧＢの夫々が２進数で表現され、ビット幅がｍである場合は、Ｍ＝２m −１である。Ｒｏ、Ｇｏ及びＢｏの取り得る値の範囲は、以下の（５）〜（７）式で表される。
０≦Ａ（Ｒｉ−Ｙ）＋Ｙ≦Ｍ  …（５）
０≦Ａ（Ｇｉ−Ｙ）＋Ｙ≦Ｍ  …（６）
０≦Ａ（Ｂｉ−Ｙ）＋Ｙ≦Ｍ  …（７）
【００６３】
Ｒｉ、Ｇｉ及びＢｉの何れか一つをＸｉとし、ＸｉについてＡが取り得る最大値をＡ（Ｘｉ）とする。Ｘｉ−Ｙ＞０である場合、（５）式より、Ａ（Ｘｉ）は下記の（８）式で表される。
Ａ（Ｘｉ）＝（Ｍ−Ｙ）／（Ｘｉ−Ｙ）  …（８）
【００６４】
Ｘｉ−Ｙ＜０である場合、（５）式より、Ａ（Ｘｉ）は下記の（９）式で表される。
Ａ（Ｘｉ）＝Ｙ／（Ｙ−Ｘｉ）  …（９）
【００６５】
Ｘｉ−Ｙ＝０である場合は、Ａ（Ｘｉ）＝Ｍとなる。Ｒｉ、Ｇｉ及びＢｉの夫々についてＡ（Ｘｉ）を計算して、Ａ（Ｒｉ）、Ａ（Ｇｉ）及びＡ（Ｂｉ）が得られる。Ａ（Ｒｉ)、Ａ（Ｇｉ）及びＡ（Ｂｉ）の内、最小の値がＡｍａｘである。
【００６６】
図８は、Ａｍａｘと彩度との関係を色度図上で説明する説明図である。白色の位置をＷで示している。調整前の色の位置は、白色の位置からはある程度離れている。この位置では、調整係数Ａは１である。画像表示装置で表示可能な色の範囲内で彩度を最大に増大させた色の位置は、より白色の位置から離れており、この位置では、Ａ＝Ａｍａｘである。本実施の形態では、ＲＧＢの値を座標値とした色空間上での任意の色の点と色相を変えずに彩度を最大に増大させた点との間の距離を任意の色の点と白色の点との間の距離で除した値を、任意の色の彩度に対応する彩度対応値Ｃと定義する。点（Ｒｏ，Ｇｏ，Ｂｏ）と点（Ｒｉ，Ｇｉ，Ｂｉ）との間の距離は、点（Ｒｉ，Ｇｉ，Ｂｉ）と白色の点（Ｙ，Ｙ，Ｙ）との間の距離の（Ａ−１）倍となる。このため、任意の色の点と色相を変えずに彩度を最大に増大させた点との間の距離は、任意の色の点と白色の点との間の距離の（Ａｍａｘ−１）倍となる。従って、任意の色の彩度対応値Ｃは、下記の（１０）式で表される。
Ｃ＝Ａｍａｘ−１  …（１０）
【００６７】
白色の点ではＣ＝１となり、彩度を最大に増大させた点ではＣ＝０となる。即ち、彩度を減少させるほど彩度対応値Ｃは増大し、彩度を増大させるほど彩度対応値Ｃは減少する。彩度対応値Ｃは、彩度の逆数に似た値である。
【００６８】
Ｎ個の色相範囲の夫々について、色調整のために利用されるパラメータが予め定められている。パラメータには、増大すべき彩度に対応する彩度対応値Ｃの下限値Ｃ1 と、増大率が最大になる彩度に対応する彩度対応値Ｃ2 と、増大すべき彩度に対応する彩度対応値Ｃの下限値Ｃ3 とが含まれている。本実施の形態では、調整係数計算部４５で彩度対応値Ｃに応じて調整係数Ａを定めることにより、画像の色の彩度を増大させる。図９は、彩度対応値Ｃと調整係数Ａとの関係を表した特性図である。図中の横軸は彩度対応値Ｃを示し、縦軸は調整係数Ａを示している。彩度対応値Ｃの大小関係は、Ｃ1 ＜Ｃ2 ＜Ｃ3 となっている。また彩度対応値Ｃ2 に対応する調整係数Ａの値をＡｅとしている。図中の破線は、（１０）式を整理した下記の（１１）式を表す線である。
Ａｍａｘ＝Ｃ＋１  …（１１）
【００６９】
（１１）式の線は、画像表示装置で表示可能な最大彩度を得るためのＡ、即ちＡｍａｘを示す線であり、この線を越えて調整係数Ａを大きくした場合は、ＡはＡｍａｘよりも大きくなり、表される色は画像表示装置で表示することができない。図９に示すように、調整係数計算部４５は、Ｃ1 以下の彩度対応値Ｃについては調整係数Ａを１のままとし、Ｃ3 以上の彩度対応値Ｃについても、調整係数Ａを１とする。また、調整係数計算部４５は、Ｃ1 を超過しＣ3 未満の彩度対応値Ｃについて、彩度を増大させるために、調整係数Ａを１よりも大きくする処理を行う。調整係数計算部４５は、彩度対応値Ｃ2 に応じて調整係数ＡをＡｅにする処理を行う。また、調整係数計算部４５は、Ｃ1 からＣ2 までの範囲に対応する調整係数Ａを、彩度対応値Ｃの増加に対して調整係数Ａが単純に増加するように計算する。また、調整係数計算部４５は、Ｃ2 からＣ3 までの範囲に対応する調整係数Ａを、彩度対応値Ｃの増加に対して調整係数Ａが単純に減少するように計算する。図９を参照すれば、Ｃ1 からＣ2 までの範囲に対応する調整係数Ａは、（Ｃ1 ，１）と（Ｃ2 、Ａｅ）とを結ぶ直線上に乗るように計算され、Ｃ2 からＣ3 までの範囲に対応する調整係数Ａは、（Ｃ2 、Ａｅ）と（Ｃ3 ，１）とを結ぶ直線上に乗るように定められる。図９に示すように、Ｃ1 、Ｃ2 、Ｃ3 及びＡｅを定めれば、彩度対応値Ｃと調整係数Ａとの対応関係が定められ、この対応関係に基づいて、任意の彩度対応値Ｃに対応する調整係数Ａが求められる。
【００７０】
本実施の形態では、彩度対応値Ｃ2 に応じた調整係数Ａｅは、輝度Ｙに応じて定められる。図１０は、輝度と調整係数Ａｅとの関係を表した特性図である。図中の横軸は輝度Ｙを示し、縦軸は彩度対応値Ｃ2 に応じた調整係数Ａｅを示している。また、Ｙ1 は調整係数Ａｅを１以上に定めるときの輝度の下限値、Ｙ2 は調整係数Ａｅを１以上に定めるときの輝度の上限値、Ａｐは調整係数Ａｅの最大値である。また、ｇは、Ｙ1 以上の輝度Ｙに対応した調整係数ＡｅがＡｐに達するまでの輝度Ｙに対する調整係数Ａｅの変化を表す直線の勾配である。また、−ｇは、調整係数ＡｅがＡｐから減少して輝度Ｙ2 で１に達するまでの輝度Ｙに対する調整係数Ａｅの変化を表す直線の勾配である。勾配ｇは、輝度Ｙの変化に応じて彩度が急激に変化することを避けるために設定されている。Ａｐの値は、図９に示す（１１）式の線上の調整係数Ａｍａｘよりも小さい値に定められている。図１０に示すように、輝度Ｙに応じて、彩度対応値Ｃ2 に対応する調整係数Ａｅが定められる。パラメータには、Ｙ1 、Ｙ2 、Ａｐ及びｇが含まれている。パラメータは、Ｎ個の色相範囲の夫々について定められており、ＲＯＭ３４に予め記憶されている。例えば、色相範囲の番号０〜（Ｎ−１）と、Ｃ1 、Ｃ2 、Ｃ3 、Ｙ1 、Ｙ2 、Ａｐ及びｇとが関連付けて記憶されている。
【００７１】
次に、色調整方法を説明する。制御部３３は、画像処理装置の起動時等の所定のタイミングで、パラメータ及び色相データをＲＯＭ３４から読み出し、ＲＡＭ３５に記憶させておく。図１１は、実施の形態２に係る色調整装置４が実行する処理の手順を示すフローチャートである。入力部２２から色調整回路４０及び色相計算部３１へ一画素分の画像信号が入力され（Ｓ２０１）、輝度計算部４１は、（１）式を用いる方法等の所定の方法を用いて輝度Ｙを計算する（Ｓ２０２）。差分計算部４２は、輝度計算部４１から輝度Ｙを入力され、画像信号に含まれる色信号のＲｉ、Ｇｉ及びＢｉ夫々の値と輝度Ｙとの差分を計算する（Ｓ２０３）。輝度計算部４１は、彩度対応値計算部４３、調整係数計算部４５及び画像信号計算部４６へ輝度Ｙを入力し、差分計算部４２は、計算した差分を彩度対応値計算部４３及び画像信号計算部４６へ入力する。彩度対応値計算部４３は、輝度Ｙ及び差分計算部４２からの差分に基づいて、画像信号が表す画素の色の彩度に対応する彩度対応値Ｃを計算する彩度対応値計算処理を実行する（Ｓ２０４）。
【００７２】
図１２は、彩度対応値計算処理のサブルーチンの処理手順を示すフローチャートである。彩度対応値計算部４３は、Ｒｉ、Ｇｉ及びＢｉの中から一つのＸｉを選択し（Ｓ３１）、差分計算部４２から入力された差分（Ｘｉ−Ｙ）がゼロを超過するか否かを判定する（Ｓ３２）。差分（Ｘｉ−Ｙ）がゼロを超過する場合は（Ｓ３２：ＹＥＳ）、彩度対応値計算部４３は、（８）式に従ってＡ（Ｘｉ)を計算する（Ｓ３３）。差分（Ｘｉ−Ｙ）がゼロ以下である場合は（Ｓ３２：ＮＯ）、彩度対応値計算部４３は、差分（Ｘｉ−Ｙ）がゼロ未満であるか否かを判定する（Ｓ３４）。差分（Ｘｉ−Ｙ）がゼロ未満である場合は（Ｓ３４：ＹＥＳ）、彩度対応値計算部４３は、（９）式に従ってＡ（Ｘｉ)を計算する（Ｓ３５）。差分（Ｘｉ−Ｙ）がゼロである場合は（Ｓ３４：ＮＯ）、彩度対応値計算部４３は、Ａ（Ｘｉ）＝Ｍとする（Ｓ３６）。ステップＳ３３、３５、又はＳ３６が終了した後は、彩度対応値計算部４３は、Ｒｉ、Ｇｉ及びＢｉの全てについてＡ（Ｘｉ）を計算したか否かを判定する（Ｓ３７）。まだ全てを計算していない場合は（Ｓ３７：ＮＯ）、彩度対応値計算部４３は、処理をステップＳ３１へ戻して、まだＡ（Ｘｉ）を計算していないＸｉを選択する。全てのＡ（Ｘｉ）を計算している場合は（Ｓ３７：ＹＥＳ）、彩度対応値計算部４３は、Ａ（Ｒｉ)、Ａ（Ｇｉ）及びＡ（Ｂｉ）の内、最小のＡ（Ｘｉ）をＡｍａｘに決定する（Ｓ３８）。彩度対応値計算部４３は、次に、（１０）式に従って彩度対応値Ｃを計算し（Ｓ３９）、計算した彩度対応値Ｃ及び輝度Ｙを調整係数計算部４５へ入力する。彩度対応値計算部４３は、以上で彩度対応値計算処理のサブルーチンの処理を終了する。
【００７３】
色相計算部３１は、画像信号から色相を計算する（Ｓ２０５）。パラメータ選択部４４は、色相計算部３１から色相を入力され、色相の値が含まれる色相範囲を判定する（Ｓ２０６）。パラメータ選択部４４は、次に、判定した色相範囲に応じて、調整係数の計算に利用するためのパラメータを選択する（Ｓ２０７）。ステップＳ２０７では、パラメータ選択部４４は、Ｎ個の色相範囲に関連付けられてＲＡＭ３５に記憶されているパラメータの内、判定した色相範囲に関連付けられたパラメータをＲＡＭ３５から読み出す。例えば、パラメータ選択部４４は、判定した色相範囲の番号に関連付けられているＣ1 、Ｃ2 、Ｃ3 、Ｙ1 、Ｙ2 、Ａｐ及びｇをＲＡＭ３５から読み出す。パラメータ選択部４４は、パラメータを調整係数計算部４５へ入力する。なお、Ｓ２０５〜Ｓ２０７の処理は、ステップＳ２０１〜Ｓ２０４の処理よりも前に実行されてもよく、ステップＳ２０１〜Ｓ２０４の処理と並行して実行されてもよい。
【００７４】
調整係数計算部４５は、パラメータ選択部４４が読み出したパラメータを参照し、彩度対応値計算部４３が計算した彩度対応値Ｃが、パラメータに含まれるＣ1 以下であるか、又はＣ3 以上であるか否かを判定する（Ｓ２０８）。彩度対応値ＣがＣ1 以下又はＣ3 以上である場合は（Ｓ２０８：ＹＥＳ）、調整係数計算部４５は、彩度を増大させないことを示す信号を画像信号計算部４５へ入力し、画像信号計算部４５は、入力部２２から色調整回路４０へ入力された画像信号を変更せずに表示部２１へ出力する（Ｓ２０９）。
【００７５】
彩度対応値ＣがＣ1 を超過してＣ3 未満である場合は（Ｓ２０８：ＮＯ）、調整係数計算部４５は、Ｃ＝Ｃ2 である場合の調整係数Ａｅを計算する（Ｓ２１０）。具体的には、調整係数計算部４５は、パラメータに含まれるＹ1 、Ｙ2 、Ａｐ及びｇに従って、図１０に示す如き輝度ＹとＡｅとの関係を生成し、生成した関係に基づいて、輝度Ｙに応じたＡｅを決定する。調整係数計算部４５は、次に、彩度対応値Ｃが、パラメータに含まれるＣ2 未満であるか否かを判定する（Ｓ２１１）。彩度対応値ＣがＣ2 未満である場合は（Ｓ２１１：ＹＥＳ）、調整係数計算部４５は、パラメータに含まれるＣ1 及びＣ2 並びに計算したＡｅに基づいて、調整係数Ａを計算する。具体的には、彩度調整部１３は、図９に示す如き、調整係数Ａが１以上で彩度対応値Ｃの増加に応じて増加し、Ｃ＝Ｃ2 でＡ＝Ａｅとなるような、彩度対応値Ｃと調整係数Ａとの対応関係に従って、彩度対応値Ｃに応じた調整係数Ａを計算する（Ｓ２１２）。ステップＳ２１１で彩度対応値ＣがＣ2 以上である場合は（Ｓ２１１：ＮＯ）、調整係数計算部４５は、彩度対応値ＣがＣ2 を超過するか否かを判定する（Ｓ２１３）。彩度対応値ＣがＣ2 を超過する場合は（Ｓ２１３：ＹＥＳ）、調整係数計算部４５は、Ｃ2 、Ｃ3 及びＡｅに基づいて調整係数Ａを計算する（Ｓ２１４）。具体的には、彩度調整部１３は、図９に示す如き、Ｃ＝Ｃ2 でＡ＝Ａｅであり、調整係数Ａが１以上で彩度対応値Ｃの増加に応じて減少するような、彩度対応値Ｃと調整係数Ａとの対応関係に従って、彩度対応値Ｃに応じた調整係数Ａを計算する。ステップＳ２１３でＣ＝Ｃ2 である場合は（Ｓ２１３：ＮＯ）、調整係数計算部４５は、調整係数ＡをＡｅに定める（Ｓ２１５）。
【００７６】
ステップＳ２１２、Ｓ２１４又はＳ２１５が終了した後は、調整係数計算部４５は、計算した調整係数Ａを画像信号計算部４６へ入力する。画像信号計算部４６は、差分計算部４２が計算した差分、調整係数Ａ及び輝度Ｙを用い、（２）〜（４）式に従ってＲＧＢの値を計算することにより、画像信号を計算する（Ｓ２１６）。この計算により、輝度及び色相を変更せずに彩度を増大させるように調整した色を表す画像信号が得られる。画像信号計算部４６は、計算した画像信号を表示部２１へ出力する（Ｓ２１７）。色調整装置４は、入力部２２に入力された画像信号が表す画像の全ての画素について、ステップＳ２０１〜Ｓ２１７の処理を実行する。表示部２１は、色調整回路４０からの画像信号に基づいて画像を表示することにより、彩度を増大させるように色を調整した画像を表示する。画像が動画である場合は、色調整装置４は、フレーム毎又はフィールド毎に処理を実行し、表示部２１は、色を調整した画像を表示する。
【００７７】
なお、色調整装置４は、彩度対応値ＣがＣ1 以下又はＣ3 以上である場合にも画像信号を計算する処理を行う形態であってもよい。この形態では、調整係数計算部４５は、ステップＳ２０８の代わりに、調整係数Ａを１に定める処理を行い、次に処理をステップＳ２１６へ進める。
【００７８】
以上詳述した如く、本実施の形態においても、色調整装置４は、複数の色相範囲の夫々についてどの値の彩度をどの程度増大させるかを規定するパラメータを定めておき、色相及び彩度対応値Ｃと調整係数Ａとの対応関係に従って、画像に含まれる色の彩度を増大させる。本実施の形態においても、画像上に映る物の内で見分ける必要のある複数の物の典型的な色が夫々に異なる色相範囲に含まれ、色相範囲間で彩度の増大量が異なるように、経験的に適切に定めておくことにより、画像表示装置が表示する画像上に映る物が従来よりも見分けやすくなる。例えば、カラーの医療画像上で内臓と血管とを見分けることが従来よりも容易になる。また、実施の形態１と同様に、本実施の形態においても、見分ける必要のある複数の物の色の色相が同一の色相範囲に含まれる場合でも、画像表示装置が表示する画像上に映る物を従来よりも見分けやすくすることができる。
【００７９】
また、本実施の形態では、色調整装置４は、（２）〜（４）式を用いて彩度を増大させた画像信号を計算するので、色空間の変換を行うことなく画像の色の彩度を増大させることができる。彩度を増大させるための処理が簡素化し、色調整装置４の構成を簡略化することができる。また、色調整装置４は、画像の色の輝度及び色相を維持した上で彩度を増大させることができ、また、彩度が画像表示装置で表示可能な最大彩度を超えない範囲で彩度を増大させることができる。このため、画面上で色ずれ又は輝度つぶれが発生することが無く、画質が悪化して細部が見分け難くなることが防止される。
【００８０】
また、実施の形態１と同様に、本実施の形態においても、見分ける必要のある複数の物の色の色相が同一の色相範囲に含まれる場合でも、画像表示装置が表示する画像上に映る物を従来よりも見分けやすくすることができる。また、色調整装置１は、画素の色を輝度信号及び色差信号で表した画像信号等、ＲＧＢの値を含む信号以外の画像信号を受け付ける形態であってもよい。
【００８１】
また、実施の形態１と同様に、本実施の形態に係る色調整装置４は、色相を複数の色相範囲に分類することをしない形態であってもよい。この形態では、色調整装置４は色相計算部３１を備えておらず、ＲＯＭ３４及びＲＡＭ３５は、色相データを記憶しておらず、一種類のパラメータを記憶している。また、この形態では、色調整装置４は、ステップＳ２０５及びＳ２０６の処理を実行せず、ステップＳ２０７では一種類のパラメータを読み出す処理を行う。この形態でも、画像上に映る複数の物の色の差が大きくなるように彩度を増大させ、従来に比べて画像上で被写体を見分けることをより容易にさせることが可能となる。
【００８２】
また、図１０に示す如き、調整係数ＡｅがＡｐから減少して輝度Ｙ2 で１に達するまでの輝度Ｙに対する調整係数Ａｅの変化を表す直線の勾配は、−ｇ以外の値であってもよい。この形態では、パラメータは、Ｃ1 、Ｃ2 、Ｃ3 、Ｙ1 、Ｙ2 、Ａｐ及びｇ以外に、調整係数ＡｅがＡｐから減少する勾配の値を含んでいる。色調整装置４は、ステップＳ２１０で、この勾配の値をも用いて計算を行う。
【００８３】
なお、本実施の形態においては、輝度Ｙに応じて調整係数Ａを計算する形態を示したが、色調整装置４は、輝度Ｙに応じた調整係数Ａの調整を行わない形態であってもよい。この形態では、パラメータにはＹ1 、Ｙ2 、Ａｐ及びｇが含まれておらず、彩度対応値Ｃ2 に対応する調整係数Ａｅが定数としてパラメータに含まれている。調整係数計算部４５は、パラメータに含まれるＡｅを用いて調整係数Ａを計算する。また、色調整装置４は、輝度Ｙに応じた調整係数Ａの計算を行うか否かを設定することができる形態であってもよい。この形態では、色調整装置４は、輝度Ｙに応じた調整係数Ａの計算を行うか否かを示す情報をＲＯＭ３４に記憶しておき、記憶してある情報に従って、輝度Ｙに応じた調整係数Ａの計算を行うか否かを決定する。
【００８４】
また、色調整装置４は、ＲＧＢ以外の色信号を含む画像信号を受け付ける形態であってもよい。この形態でも、色調整装置４は、（２）〜（４）式と同様の式に従って、色調整前の画像信号から色調整後の画像信号を計算する処理を行う。また、色調整装置４は、輝度信号を含む画像信号を受け付ける形態であってもよい。この形態では、輝度計算部４１は、画像信号から輝度値を抽出する処理を行う。また、画像表示装置は、色信号を含まない画像信号から、色信号を含んだ画像信号を生成し、生成した画像信号を入力部２２から色調整装置４へ入力する形態であってもよい。
【００８５】
以上の実施の形態１及び２においては、必要なパラメータをＲＡＭ３５から読み出す形態を示したが、本発明に係る色調整装置は、パラメータをＲＯＭ３４から直接に読み出す形態であってもよい。また、実施の形態１及び２においては、処理に必要なパラメータが予め定められている形態を示したが、色調整装置は、パラメータを変更することが可能な形態であってもよい。例えば、色調整装置は、使用者の操作を受け付ける操作部を備え、操作部で受け付けた使用者からの操作に従って、ＲＡＭ３５に記憶したパラメータの値を変更する処理を行う形態であってもよい。また、実施の形態１及び２においては、色調整装置に必要な機能をハードウェアで構成した形態を示したが、本発明に係る色調整装置は、本発明に係る色調整方法の処理の一部又は全部をソフトウェア又はファームウェアを用いて実行する形態であってもよい。また、実施の形態１及び２においては、色調整装置を画像表示装置に備えた形態を示したが、本発明に係る色調整装置は、他の画像表示装置以外の装置に備えられた形態であってもよい。例えば、色調整装置は、カラープリンタに備えられた形態であってもよい。この形態では、色調整装置は彩度を増大させた画像を表す画像信号を出力し、カラープリンタは、画像信号に基づいたカラー画像を記録用紙に記録する処理を実行する。
【符号の説明】
【００８６】
１、４  色調整装置
１０、４０  色調整回路
１１  彩度計算部
１２  最大彩度計算部
１３  彩度調整部
１４、４４  パラメータ選択部
１５、４６  画像信号計算部
２１  表示部
３１  色相計算部
３４  ＲＯＭ
３５  ＲＡＭ
４１  輝度計算部
４２  差分計算部
４３  彩度対応値計算部
４５  調整係数計算部
【要約】
【課題】画像上に映る物を見分けやすくするためにカラー画像の色を調整する色調整装置、画像表示装置、及び色調整方法を提供する。
【解決手段】パラメータは、色調整前の彩度の内で調整すべき彩度の範囲、及び色調整前の彩度に比べた色調整後の彩度の変化の範囲を規定している。色調整装置１は、画像信号から彩度を計算し、パラメータに定められた範囲の彩度をパラメータに定められた程度に増大又は減少させるように、色調整前の彩度に応じて色調整後の彩度を計算し、色調整後の彩度から画像信号を生成する。特定の複数の色の彩度の差が色調整後に増大するようにパラメータを定めておくことにより、画像上に映る複数の物の色の差が大きくなり、色調整後は、画像上に映る複数の物が見分けやすくなる。
【選択図】図１【図１】
0005406998.tif 000002
【図２】
0005406998.tif 000003
【図３】
0005406998.tif 000004
【図４】
0005406998.tif 000005
【図５】
0005406998.tif 000006
【図６】
0005406998.tif 000007
【図７】
0005406998.tif 000008
【図８】
0005406998.tif 000009
【図９】
0005406998.tif 000010
【図１０】
0005406998.tif 000011
【図１１】
0005406998.tif 000012
【図１２】
0005406998.tif 000013